(57)【要約】【課題】回転子の外周部における渦電流の発生を抑制することができるとともに、回転子の製造を容易にすることができる誘導電動機の回転子、誘導電動機、及び誘導電動機の回転子の製造方法を得る。【解決手段】誘導電動機の回転子１は、回転軸２と、回転軸２の軸線を中心として回転軸２と一体に回転される回転子本体３とを有している。回転子本体３は、回転軸２の軸線方向について積層された複数の鉄心用薄板により構成された回転子鉄心４と、回転子鉄心４に設けられた複数の回転子導体５とを有している。回転子本体３の外周面には、回転軸２の周方向に沿った無端状の横溝９が設けられている。回転子本体３の外周部における鉄心用薄板間の導通は、横溝９により遮断することができる。また、横溝９は、回転子本体３を回転させて回転子本体３の外周面を切削するだけで容易に形成することができる。【選択図】図１
2010279143.tif 000002
【特許請求の範囲】
【請求項１】
回転軸、及び
上記回転軸の軸線方向について積層された複数の鉄心用薄板により構成された回転子鉄心と、上記回転子鉄心に設けられた回転子導体とを有し、上記回転軸の軸線を中心として上記回転軸と一体に回転される回転子本体
を備え、
上記回転子本体の外周面には、上記回転軸の周方向に沿った無端状の横溝が設けられていることを特徴とする誘導電動機の回転子。
【請求項２】
上記回転子本体の外周面には、一対の上記横溝が設けられ、
上記回転軸の軸線方向についての各上記横溝の位置は、上記回転子本体の中心に関して対称となる位置とされていることを特徴とする請求項１に記載の誘導電動機の回転子。
【請求項３】
上記横溝の幅寸法は、上記鉄心用薄板の厚さ寸法よりも大きくなっていることを特徴とする請求項１又は請求項２に記載の誘導電動機の回転子。
【請求項４】
上記回転子鉄心には、上記回転子導体を収容する複数のスロットが上記回転軸の周方向について互いに間隔を置いて形成され、
各上記スロットは、上記回転子本体の内部を通された内部収容部と、上記回転子本体の外周面と上記内部収容部との間に介在して上記回転子本体外と上記内部収容部内とを連通し、上記内部収容部よりも幅寸法が狭くなっている連通部とを有しており、
上記横溝の深さ寸法は、上記回転子本体の外周面から上記内部収容部までの上記連通部の深さ寸法よりも大きくされていることを特徴とする請求項１乃至請求項３のいずれか１項に記載の誘導電動機の回転子。
【請求項５】
環状の固定子、及び
回転軸と、上記回転軸の軸線を中心として上記回転軸と一体に回転される回転子本体とを有し、上記固定子の内側に配置された回転子
を備え、
上記回転子本体は、上記回転軸の軸線方向について積層された複数の鉄心用板により構成された回転子鉄心と、上記回転子鉄心に設けられた回転子導体とを有し、
上記回転子本体の外周面には、上記回転軸の周方向に沿った無端状の横溝が設けられていることを特徴とする誘導電動機。
【請求項６】
板から複数の鉄心用薄板を所定の形状に打ち抜く打ち抜き工程、
軸線方向へ各上記鉄心用薄板を積層して、複数のスロットが形成された回転子鉄心とする回転子鉄心形成工程、
各上記スロットに溶融導体を注入して固めることにより、各上記スロット内に収容された回転子導体を上記回転子鉄心に設ける回転子導体形成工程、及び
上記軸線の周方向に沿った無端状の横溝を上記回転子鉄心の外周面に設ける横溝形成工程
を備えていることを特徴とする誘導電動機の回転子の製造方法。
【発明の詳細な説明】
【技術分野】
【０００１】
この発明は、例えばファンの駆動装置等に使用される誘導電動機の回転子、誘導電動機、及び誘導電動機の回転子の製造方法に関するものである。
【背景技術】
【０００２】
一般に、誘導電動機の回転子は、回転子鉄心と、回転子鉄心に形成された複数のスロットに収容された回転子導体とを有している。回転子鉄心は、鋼板を所定の形状に打ち抜いてできた複数の鉄心用薄板を積層し、積層した各鉄心用薄板をかしめて互いに締結することにより作製される。回転子導体は、回転子鉄心に形成されている各スロット内に例えばアルミニウム等の溶融金属を流し込んで固めることにより形成される。
【０００３】
鉄心用薄板の打ち抜き面には、鋼板を打ち抜くことにより生じた小さな捲れ部分（バリ）が形成されることがある。バリが形成された鉄心用薄板を積層すると、バリが鉄心用薄板に当たることにより各鉄心用薄板間に隙間が生じてしまう。
【０００４】
各鉄心用薄板間に隙間がある状態で回転子鉄心の各スロット内に溶融金属を流し込むと、スロット内だけでなく、各鉄心用薄板間の隙間にも溶融金属が流れ込む。これにより、回転子鉄心において各スロット内の回転子導体間や鉄心用薄板間の導通が生じてしまう。このような導通が生じると、回転子の外周面で発生する渦電流が増大して損失が大きくなってしまう。また、損失の増大により、誘導電動機の低速域でのトルクの低下も大きくなってしまう。
【０００５】
従来、各スロット内の回転子導体間の導通を抑制するために、回転子の軸線に沿った縦溝を回転子鉄心の各スロット間に設けた誘導電動機の回転子が提案されている。縦溝の深さ方向は、回転子鉄心の径方向とされている（例えば特許文献１参照）。
【先行技術文献】
【特許文献】
【０００６】
【特許文献１】特開平５−２０７７１３号公報
【発明の概要】
【発明が解決しようとする課題】
【０００７】
従来の誘導電動機では、回転子の外周面と固定子の内周面との隙間寸法を所定の寸法に確保するために、溶融金属をスロット内に流し込んで回転子導体を回転子鉄心に形成した後に、回転子を回転させながら切削により回転子の外周面を仕上げることが一般的になっている。この場合、縦溝が回転子鉄心の外周面に形成されていると、仕上げの切削時に切削工具が縦溝に引っかかってしまう。これにより、回転子の外周面の寸法精度が低下してしまうだけでなく、切削工具の磨耗の促進により切削工具の寿命が短くなってしまう。
【０００８】
また、回転子のスロットを回転子の軸線方向に対してひねったスキューが回転子に施されている場合には、縦溝がスロットに沿って形成される必要があるので、回転子鉄心の外周面に縦溝を軸線方向に対して斜めに形成しなければならない。この場合、回転子鉄心を形成した後に縦溝を回転子鉄心の外周面に形成する加工を行うのは、加工が難しくなる。
【０００９】
従って、鉄心用薄板を鋼板から打ち抜くときにスリットを形成しておき、スリットの位置をずらしながら各鉄心用薄板を積層することにより回転子鉄心の形成と同時に縦溝を形成する方法が採られることがある。この場合、スロット内に溶融金属を流し込むときには縦溝が回転子鉄心にすでに形成されているので、各スロット内に流し込む溶融金属が縦溝内に侵入しないように工夫しなければならなくなってしまう。また、この場合、各鉄心用薄板に形成されたスリットがずらして配置されることにより縦溝が形成されているので、縦溝の内側面が階段状となってしまう。これにより、縦溝による空間を十分に確保することができず、各回転子導体間の導通を効果的に抑制することができなくなってしまうおそれもある。
【００１０】
この発明は、上記のような課題を解決するためになされたものであり、回転子の外周部における渦電流の発生を抑制することができるとともに、回転子の製造を容易にすることができる誘導電動機の回転子、誘導電動機、及び誘導電動機の回転子の製造方法を得ることを目的とする。
【課題を解決するための手段】
【００１１】
この発明に係る誘導電動機の回転子は、回転軸、及び回転軸の軸線方向について積層された複数の鉄心用薄板により構成された回転子鉄心と、回転子鉄心に設けられた回転子導体とを有し、回転軸の軸線を中心として回転軸と一体に回転される回転子本体を備え、回転子本体の外周面には、回転軸の周方向に沿った無端状の横溝が設けられている。
【発明の効果】
【００１２】
この発明に係る誘導電動機の回転子では、回転軸の周方向に沿った無端状の横溝が回転子本体の外周面に設けられているので、例えばダイカスト製法による溶融導体が鉄心用薄板間の隙間に流れ込んで鉄心用薄板間に導通が生じている場合であっても、回転子本体の外周部における鉄心用薄板間の導通を横溝によって遮断することができる。これにより、回転子本体の外周部における渦電流の発生を抑制することができ、渦電流による損失の増大を抑制することができる。また、回転子本体を回転させながら回転子本体の外周面を切削するだけで横溝を形成することができる。従って、回転子の製造を容易にすることができ、切削工具の長寿命化も図ることができる。
【図面の簡単な説明】
【００１３】
【図１】この発明の実施の形態１による誘導電動機の回転子を示す斜視図である。
【図２】図１の回転子を示す断面図である。
【図３】図３は、図２のIII-III線に沿った断面図である。
【図４】図１の回転子鉄心の鉄心用薄板が積層されている状態を示す拡大斜視図である。
【図５】２本の横溝が外周面に形成された図１の回転子と、横溝が外周面に形成されていない回転子とについて、三次元電磁解析を行った結果を示すグラフである。
【図６】横溝の本数が０本、２本、３本及び４本である場合のそれぞれにおいて、電源周波数を５０（Ｈｚ）としたときのトルク（ｍＮｍ）及び効率（％）を示すグラフである。
【図７】横溝の本数が０本、２本、３本及び４本である場合のそれぞれにおいて、電源周波数を６０（Ｈｚ）としたときのトルク（ｍＮｍ）及び効率（％）を示すグラフである。
【発明を実施するための形態】
【００１４】
実施の形態１．
図１は、この発明の実施の形態１による誘導電動機の回転子を示す斜視図である。また、図２は、図１の回転子を示す断面図である。図において、誘導電動機は、環状（筒状）の固定子（図示せず）と、固定子の内側に配置され、固定子に対して回転可能な回転子１と、固定子および回転子１を同軸に支持する一対のブラケット（図示せず）とを有している。
【００１５】
回転子１は、固定子の軸線と共通の軸線を持つ回転軸２と、回転軸２の軸線を中心として回転軸２と一体に回転される回転子本体３とを有している。
【００１６】
回転子本体３は、回転軸２が貫通して固定された円柱状の回転子鉄心４と、回転子鉄心４に設けられ、回転子鉄心４を貫通する複数の回転子導体５と、回転軸２の軸線方向について回転子鉄心４を挟む位置に配置され、各回転子導体５にそれぞれ接続された一対のエンドリング６とを有している。
【００１７】
回転子鉄心４は、回転軸２の軸線方向について積層された複数の鉄心用薄板により構成されている。各鉄心用薄板は、例えばプレス機等で鋼板を所定の形状に打ち抜くことにより形成されている。積層された各鉄心用薄板は、図２に示すように、複数のかしめ部７によって互いに締結されている。回転子鉄心４には、複数のスロット（導体収容溝）８が回転軸２の周方向について互いに間隔を置いて形成されている。
【００１８】
各スロット８は、図１に示すように、回転軸２の軸線方向に対して一定の角度だけ傾斜しながら回転子鉄心４の外周面に沿って回転子鉄心４に形成されている。即ち、各スロット８は、回転軸２の軸線方向に対して一定の角度だけひねられている（即ち、スキューされている）。各スロット８は、各鉄心用薄板が回転軸２の周方向へ順次ずらされながら積層されることにより、回転軸２の軸線方向に対して傾斜した形状となっている。
【００１９】
各スロット８は、図２に示すように、回転子鉄心４の内部を通された内部収容部８ａと、回転子鉄心４の外周面と内部収容部８ａとの間に介在して回転子鉄心４外と内部収容部８ａ内とを連通する連通部８ｂとを有している。
【００２０】
連通部８ｂの幅寸法（回転子鉄心４の周方向についての連通部８ｂの寸法）は、内部収容部８ａの幅寸法（回転子鉄心４の周方向についての内部収容部８ａの寸法）よりも狭くなっている。
【００２１】
各回転子導体５は、スロット８内に収容されている。従って、各回転子導体５も、スロット８とともに、回転軸２の軸線方向に対して一定の角度だけ傾斜しながら回転子鉄心４の外周面に沿って回転子鉄心４に設けられている。また、回転子導体５の一部は、連通部８ｂを通して回転子鉄心４の外周面に露出している。回転子導体５の材料としては、例えばアルミニウム等が用いられている。
【００２２】
各回転子導体５は、回転子鉄心４のスロット８内に溶融金属（溶融導体）を注入して固めることによりスロット８内に形成されている。即ち、各回転子導体５は、ダイカスト製法により形成されている。従って、各鉄心用薄板間に隙間が生じている場合には、スロット８内に流し込まれた（注入された）溶融金属がスロット８内から各鉄心用薄板間の隙間へ漏れ、スロット８内から漏れた溶融金属が各鉄心用薄板間に介在した状態で固まることとなる。これにより、鉄心用薄板１０間に導通が生じることとなる。
【００２３】
各エンドリング６は、溶融金属がスロット８の両端部で回転軸２を囲む円環状に固められることにより形成されている。この例では、各エンドリング６が各回転子導体５と同時にダイカスト製法により形成されている。従って、各エンドリング６の材料は、各回転子導体５の材料と同一となっている。
【００２４】
回転子本体３の外周面には、回転軸２の周方向に沿った無端状の横溝９が設けられている。この例では、図１に示すように、２本（一対）の横溝９が回転軸２の軸線方向について互いに間隔を置いて回転子本体３の外周面に設けられている。また、回転軸２の軸線方向についての各横溝９の位置は、回転子本体３の中心に関して対称となる位置とされている。
【００２５】
ここで、図３は、図２のIII-III線に沿った断面図である。横溝９の幅寸法Ｗ（回転軸２の軸線方向についての横溝９の寸法）は、鉄心用薄板１０の厚さ寸法ｔよりも大きくなっている。横溝９は、横溝９の幅の範囲が鉄心用薄板１０間の境界を含む位置に形成されている。即ち、横溝９は、鉄心用薄板１０間の導通を遮断する位置に形成されている。
【００２６】
横溝９の深さ方向は、鉄心用薄板１０間の境界に沿った方向（即ち、回転子鉄心４の径方向）とされている。また、横溝９の深さ寸法は、回転子本体３の外周面から内部収容部８ａまでの連通部８ｂの深さ寸法よりも大きくなっている。さらに、この例では、横溝９の底面の断面形状が横溝９の深さ方向へ突出する曲面となっている。即ち、横溝９の断面形状がＵ字状となっている。
【００２７】
鉄心用薄板１０間の隙間は、鉄心用薄板１０の打ち抜き面に形成されるバリ１０ａが鉄心用薄板１０間に介在することによって生じる。各鉄心用薄板１０間の隙間は回転子鉄心４の外周部に生じやすいので、各鉄心用薄板１０間に流れ込む溶融金属は回転子鉄心４の外周部で固まりやすい。従って、この例では、各鉄心用薄板１０間の隙間に漏れた溶融金属が回転子鉄心４の外周部で固まっている。
【００２８】
固定子は、環状（筒状）の固定子鉄心と、固定子鉄心に設けられた固定子コイルとを有している（いずれも図示せず）。また、固定子は、固定子コイルへの通電により回転磁界を発生する。回転子導体５には、固定子による回転磁界の発生により誘導電流が発生する。これにより、回転子１は、回転軸２の軸線を中心として固定子に対して回転される。
【００２９】
固定子の内周面には、回転子本体３の外周面が対向している。回転子本体３の外周面と固定子の内周面との隙間寸法は、所定の寸法とされている。回転子１は、回転子本体３の外周面と固定子の内周面との隙間寸法を一定に保ちながら固定子に対して回転される。
【００３０】
次に、回転子１の製造方法について説明する。まず、所定の形状（円形状）に鋼板を打ち抜いて、スロット８の一部となる複数のスロット用開口部と、回転軸２を貫通させる回転軸通し穴とが設けられた複数の鉄心用薄板１０を作製する（打ち抜き工程）。
【００３１】
この後、図４に示すように、鉄心用薄板１０の周方向へスロット用開口部を順次ずらしながら各鉄心用薄板１０を積層するとともに、回転軸２を各鉄心用薄板１０に通す。この後、かしめ部７を形成して各鉄心用薄板１０を互いに締結することにより、回転軸２の軸線方向に対して傾斜した複数のスロット８が形成された回転子鉄心４を作製する（回転子鉄心形成工程）。
【００３２】
この後、溶融金属（この例では、溶融アルミニウム）を各スロット８内に流し込んだ後、溶融金属を冷やして固める。これにより、回転子導体５が各スロット８内に形成されるとともに、エンドリング６が各回転子導体５の両端部に形成される（回転子導体形成工程）。
【００３３】
この後、回転軸２の軸線を中心に回転子鉄心４を回転させて回転子鉄心４の外周面を切削することにより、回転子鉄心４の外周面の仕上げを行う。これにより、回転子鉄心４の外周面の寸法精度が向上する。
【００３４】
この後、回転軸２の軸線を中心に回転子鉄心４を回転させて回転子鉄心４の外周面を切削することにより、回転軸２の軸線の周方向に沿った無端状の横溝９を回転子鉄心４の外周面に形成する（横溝形成工程）。このようにして、回転子１が製造される。
【００３５】
誘導電動機は、環状（筒状）の固定子の内側に回転子１を組み込み、一対のブラケットで固定子及び回転子１を同軸に支持することにより製造される。
【００３６】
次に、誘導電動機が回転するときの回転子１について三次元電磁解析を行った。図５は、２本の横溝９が外周面に形成された図１の回転子１と、横溝が外周面に形成されていない回転子とについて、三次元電磁解析を行った結果を示すグラフである。図に示すように、横溝９を設けた回転子１のほうが横溝のない回転子よりも、トルク（ｍＮｍ）及び効率（％）のいずれにおいても向上していることが分かる。なお、解析は、回転子の回転の低速域（この例では、同期速度の１／４の速度の領域としている）において行っている。
【００３７】
また、横溝９の本数を０本、２本、３本及び４本とした場合のそれぞれについて、トルク（ｍＮｍ）及び効率（％）を実測により求めた。なお、横溝９の本数を２本、３本及び４本とした場合については、回転軸２の軸線方向についての横溝９の位置を、回転子本体３の中心に関して対称となる位置としている。
【００３８】
図６は、横溝９の本数が０本、２本、３本及び４本である場合のそれぞれにおいて、電源周波数を５０（Ｈｚ）としたときのトルク（ｍＮｍ）及び効率（％）を示すグラフである。また、図７は、横溝９の本数が０本、２本、３本及び４本である場合のそれぞれにおいて、電源周波数を６０（Ｈｚ）としたときのトルク（ｍＮｍ）及び効率（％）を示すグラフである。
【００３９】
図に示すように、電源周波数が５０（Ｈｚ）及び６０（Ｈｚ）のいずれの場合でも、横溝９の本数を２本としたときのトルク及び効率が最も大きくなっていることが分かる。これは、横溝９が０本である（即ち、横溝９がない）場合には回転子本体３の外周部における鉄心用薄板１０間の導通による渦電流損が大きくなり、横溝９が３本及び４本である場合には回転子の外周面と固定子の内周面との間の隙間が大きくなっている部分が横溝９の存在により増加することによるものと考えられる。
【００４０】
このような誘導電動機及び誘導電動機の回転子１では、回転軸２の周方向に沿った無端状の横溝９が回転子本体３の外周面に設けられているので、例えばダイカスト製法による溶融金属が鉄心用薄板１０間の隙間に流れ込んで鉄心用薄板１０間に導通が生じている場合であっても、回転子本体３の外周部における鉄心用薄板１０間の導通を横溝９によって遮断することができる。これにより、回転子本体３の外周部における渦電流の発生を抑制することができ、渦電流による損失の増大を抑制することができる。また、回転子本体３を回転させながら回転子本体３の外周面を切削するだけで横溝９を形成することができる。従って、回転子１の製造を容易にすることができ、切削工具の長寿命化も図ることができる。
【００４１】
また、横溝９が回転子本体３の外周面に一対（２本）のみ設けられ、回転軸２の軸線方向についての各横溝９の位置が回転子本体３の中心に関して対称となる位置とされているので、回転軸２の軸線方向についてのバランスを保つことができ、回転子１を効率良く回転させることができる。また、回転子１の外周面と固定子の内周面との間の隙間が横溝９の存在によって大きくなっている箇所を少なくすることができる。これにより、誘導電動機の効率の向上を図ることができる。
【００４２】
また、横溝９の幅寸法は、鉄心用薄板１０の厚さ寸法よりも大きくなっているので、鉄心用薄板１０同士の境界の位置に横溝９を確実に形成させることができる。従って、鉄心用薄板１０間で固まった溶融金属をより確実に除去することができ、横溝９によって鉄心用薄板１０間の導通をより確実に遮断することができる。
【００４３】
また、横溝９の深さ寸法は、回転子本体３の外周面から内部収容部８ａまでの連通部８ｂの深さ寸法よりも大きくされているので、横溝９によって鉄心用薄板１０間の導通をより確実に遮断することができる。即ち、ダイカスト製法により作製された回転子１を観察すると、スロット８内から鉄心用薄板１０間の隙間に漏れた溶融金属が連通部８ｂの深さの範囲で固まっていることが多い。従って、横溝９の深さ寸法を連通部８ｂの深さ寸法よりも大きくすることにより、鉄心用薄板１０間の導通を効果的に遮断することができる。
【００４４】
また、このような誘導電動機の回転子１の製造方法では、複数の鉄心用薄板１０を積層して回転子鉄心４を作製し、各スロット８内に溶融金属を注入して回転子導体５を形成した後、回転軸２の軸線の周方向に沿った無端状の横溝９を回転子鉄心４の外周面に設けるので、回転子鉄心４を回転させて切削するだけで横溝９を容易に形成することができる。従って、回転子鉄心４の外周面に生じる渦電流による損失を効果的に抑制可能な回転子１を容易に製造することができる。
【００４５】
なお、上記の例では、横溝９の幅寸法Ｗが鉄心用薄板１０の厚さ寸法ｔよりも大きくされているが、鉄心用薄板１０間の導通を遮断する位置に横溝９が配置されるのであれば、横溝９の幅寸法Ｗが鉄心用薄板１０の厚さ寸法ｔに対して同一であってもよいし、小さくてもよい。
【符号の説明】
【００４６】
１  回転子、２  回転軸、３  回転子本体、４  回転子鉄心、５  回転子導体、８  スロット、８ａ  内部収容部、８ｂ  連通部、９  横溝、１０  鉄心用薄板。
【図１】
2010279143.tif 000003
【図２】
2010279143.tif 000004
【図３】
2010279143.tif 000005
【図４】
2010279143.tif 000006
【図５】
2010279143.tif 000007
【図６】
2010279143.tif 000008
【図７】
2010279143.tif 000009